(57)【要約】【課題】長期にわたって性能を維持できる光触媒を用いた空気清浄機を提供することを目的とする。【解決手段】図１に示すように、空気清浄機本体１０の内部には、吸気口８側から順に、塵埃等の粒子の汚れを除去する集塵フィルタ６、脱臭手段Ａ５として空気中のガスを吸着する吸着脱臭フィルタ４、脱臭手段Ｂ３として光触媒からなる１組の光触媒フィルタ１および光触媒フィルタ１に光を照射する照射ランプ２が配置されている。吸着脱臭フィルタ４と光触媒フィルタ１を複合して用いるため照射ランプ１５の点灯時間を短縮しても良好な脱臭性能を得ることが可能となる。【選択図】図１
2008259809.tif 000002
【特許請求の範囲】
【請求項１】
空気の汚れ度合いを検出するセンサと、ガス吸着剤を備えた脱臭手段Ａと、光触媒と前記光触媒に照射する照射ランプを備えた脱臭手段Ｂと、前記センサにより検出された空気の汚れ度合いに応じて前記照射ランプを制御する制御手段とを備え、前記脱臭手段Ａと前記脱臭手段Ｂにより空気を清浄化する空気清浄機。
【請求項２】
空気の汚れ度合いを検出するセンサと、ガス吸着剤と光触媒と前記光触媒に照射する照射ランプを備えた脱臭手段Ｃと、前記センサにより検出された空気の汚れ度合いに応じて前記照射ランプを制御する制御手段とを備え、前記脱臭手段Ｃにより空気を清浄化する空気清浄機。
【請求項３】
センサが検出した汚れ度合いが所定の汚れ度合いより低くなった時点から照射ランプを点灯し、空気が清浄になった時点で前記照射ランプを消灯するよう制御する請求項１または２記載の空気清浄機。
【請求項４】
センサが検出した汚れ度合いが所定の汚れ度合いより低くなった時点から照射ランプを点灯し、空気が清浄になった時点から一定時間経過後すると前記照射ランプを消灯するよう制御する請求項１または２記載の空気清浄機。
【請求項５】
センサが検出した汚れ度合いの変化量を検出する変化量検出手段を有し、前記変化量検出手段の検出する変化量が所定の変化量より低くなった時点から照射ランプを点灯し、空気が清浄になった時点で前記照射ランプを消灯するよう制御する請求項１または２記載の空気清浄機。
【請求項６】
センサが空気の汚れ度合いを検出するセンサと人を検知するセンサを有し、前記人を検知するセンサが人を検知している時に照射ランプを点灯するよう制御する請求項３、４または５記載の空気清浄機。
【請求項７】
人を検知するセンサが焦電センサであることを特徴とする請求項６記載の空気清浄機。
【請求項８】
人を検知するセンサが空気中の二酸化炭素を検出するセンサであることを特徴とする請求項６記載の空気清浄機。
【請求項９】
照射ランプの一定期間内の点灯時間を記憶する点灯時間記憶手段を有し、前記点灯時間記憶手段に記憶した前記点灯時間が所定の時間を越えた場合、前記照射ランプを点灯しないように制御する請求項１乃至８のいずれかに記載の空気清浄機。
【請求項１０】
点灯時間記憶手段に記憶した点灯時間が所定の時間に足りない場合、所定の時間まで照射ランプを点灯するように制御する請求項９記載の空気清浄機。
【請求項１１】
点灯時間記憶手段に記憶した点灯時間と所定の時間との差を表示する点灯時間表示手段を有することを特徴とする請求項９または１０記載の空気清浄機。
【請求項１２】
空気の汚れ度合いを検出するセンサがガスセンサであることを特徴とする請求項１乃至１１のいずれかに記載の空気清浄機。
【請求項１３】
空気の汚れ度合いを検出するセンサと空気の湿度を検出する湿度センサを有し、前記湿度センサが検出した湿度が所定の湿度より低湿時に照射ランプを点灯するように制御する請求項１乃至１２のいずれかに記載の空気清浄機。
【請求項１４】
空気の汚れ度合いを検出するセンサが空気中の粉塵濃度を測定する粉塵センサとガスセンサであり、照射ランプをガスセンサの出力に応じて制御する請求項１乃至１３のいずれかに記載の空気清浄機。
【請求項１５】
強制的に照射ランプを点灯するランプ点灯手段を有することを特徴とする請求項１乃至１３のいずれかに記載の空気清浄機。
【請求項１６】
照射ランプが点灯していることを表示する点灯表示手段を有することを特徴とする請求項１乃至１５のいずれかに記載の空気清浄機。
【請求項１７】
照射ランプの累積点灯時間を記憶する累積点灯時間記憶手段を有し、前記累積点灯時間記憶手段に記憶した累積点灯時間が所定の時間を超えた場合、それを外部に表示する表示手段を有することを特徴とする請求項１乃至１６のいずれかに記載の空気清浄機。
【請求項１８】
照射ランプの照度を計測する照度計測手段を有し、前記照度計測手段によって計測した照射ランプの照度が所定の値より低下した場合、それを外部に表示する照度低下表示手段を有することを特徴とする請求項１乃至１７のいずれかに記載の空気清浄機。
【発明の詳細な説明】
【技術分野】
【０００１】
本発明は、本発明は、空気中の汚れを検知して自動運転を行い、光触媒にて汚染空気を清浄する空気清浄機に関する。
【背景技術】
【０００２】
従来の空気清浄機を図１５および図１６用いて説明する。図１５において、１０１は空気清浄器の本体であり、１０２は空気を吸込む吸引力を発生する送風機であり、１０３は本体１０１の外部より内部に空気を吸込む吸込口である。１０４は塵埃等の粒子の汚れを吸着し、除塵を行うフィルターであり、吸込口１０３の下流側に配置してある。１０５は清浄空気を排出する排気口である。１０６は脱臭を行う光触媒であり、フィルター１０４の下流側に配置されている。１０７は光を照射して光触媒１０６の脱臭能力を励起する照射ランプである。
【０００３】
上記構成において、運転を開始すると、送風機１０２が動作し、吸引力を発生して、前面に設けられた吸込口１０３から空気が吸入され、フィルタ−１０４で主に塵埃等の粒子の汚れが除去された後、光触媒１０６で脱臭され、清浄空気が上面の排気口１０５より排出される。
【０００４】
光触媒は酸化チタン等で構成され、紫外線等の光を照射することにより酸化能力が励起され、アンモニア、アセトアルデヒド等の悪臭成分を、炭酸ガス等の無臭成分に酸化分解することによって脱臭を行う。
【０００５】
また、図１６に制御系のブロック図を示す。
【０００６】
図において、１０８は空気の汚れ度合を検出するガスセンサで、１０９は酸化チタンで構成された、特にガス成分の汚れを除去する光触媒であり、１１０は紫外線光等の光の照射により光触媒１０９の脱臭能力を励起する照射ランプであり、１１１はガスセンサ１０８からの空気の汚れ度合の情報により、照射ランプ１１０の点灯と消灯を制御する制御手段であり、光触媒１０９と照射ランプ１１０とで脱臭手段１１２を構成する。また、１１３は空気を吸込む吸引力を発生する電動送風機であり、１１４はガスセンサ１０８からの空気の汚れ度情報により、空気の汚れ度合に応じた吸引量で電動送風機１１３の回転数を制御する運転制御手段である。
【０００７】
ガスセンサ１０８が検出する空気の汚れ度合が、所定の汚れ度合より大きくなると、制御手段１１１が照射ランプ１１０を点灯させて、光触媒１０９の脱臭能力を励起し、ガスセンサ１０８が検出する汚れ度合が低い場合には照射ランプ１１０を消灯する（特許文献１参照）。
【特許文献１】特開２０００−００５２８７号公報
【発明の開示】
【発明が解決しようとする課題】
【０００８】
このような従来の空気清浄機では、光触媒の脱臭能力を発揮させるためには、照射ランプを点灯する必要があり、ランプ点灯による消費エネルギーが増加するとともに、照射ランプの寿命により、ランプを交換するなどのメンテナンスを必要としていた。
【０００９】
また、ランプを点灯する時間が不足すると、光触媒に汚れが蓄積し脱臭性能が低下する場合があった。
【００１０】
本発明は、このような従来の課題を解決するものであり、脱臭手段としてガス吸着剤からなる脱臭手段Ａと光触媒と照射ランプからなる脱臭手段Ｂを備え、空気の汚れ度合を検出するセンサの出力に応じて光触媒に照射する照射ランプの動作を制御するので、空気が汚れている時のみ光触媒に照射するよう照射ランプを制御し、空気清浄能力を確保しつつも、照射時間を必要最低限に抑えて、省エネと照射ランプの長寿命化を図ることを目的としている。
【００１１】
また、光触媒に十分な光を照射し、劣化を抑制して長期にわたり脱臭性能を維持することを目的としている。
【００１２】
また、より効果的なタイミングに照射ランプを点灯し、光触媒の性能を十分に発揮することを目的としている。
【課題を解決するための手段】
【００１３】
本発明の空気清浄機は上記目的を達成するために、空気の汚れ度合いを検出するセンサと、ガス吸着剤を備えた脱臭手段Ａと、光触媒と前記光触媒に照射する照射ランプを備えた脱臭手段Ｂと、前記センサにより検出された空気の汚れ度合いに応じて前記照射ランプを制御する制御手段とを備え、前記脱臭手段Ａと前記脱臭手段Ｂにより空気を清浄化する空気清浄機としたものである。
【００１４】
この手段により、脱臭性能を向上しつつ省エネと照射ランプの長寿命化が可能となる。
【００１５】
また、他の手段は、空気の汚れ度合いを検出するセンサと、ガス吸着剤と光触媒と前記光触媒に照射する照射ランプを備えた脱臭手段Ｃと、前記センサにより検出された空気の汚れ度合いに応じて前記照射ランプを制御する制御手段とを備え、前記脱臭手段Ｃにより空気を清浄化す空気清浄機としたものである。
【００１６】
また、他の手段は、センサが検出した汚れ度合いが所定の汚れ度合いより低くなった時点から照射ランプを点灯し、空気が清浄になった時点で前記照射ランプを消灯するよう制御するものである。
【００１７】
また、他の手段は、センサが検出した汚れ度合いが所定の汚れ度合いより低くなった時点から照射ランプを点灯し、空気が清浄になった時点から一定時間経過後すると前記照射ランプを消灯するよう制御するものである。
【００１８】
また、他の手段は、センサが検出した汚れ度合いの変化量を検出する変化量検出手段を有し、前記変化量検出手段の検出する変化量が所定の変化量より低くなった時点から照射ランプを点灯し、空気が清浄になった時点で前記照射ランプを消灯するよう制御するものである。
【００１９】
また、他の手段は、センサが空気の汚れ度合いを検出するセンサと人を検知するセンサを有し、前記人を検知するセンサが人を検知している時に照射ランプを点灯するよう制御するものである。
【００２０】
また、他の手段は、人を検知するセンサが焦電センサであることを特徴とするものである。
【００２１】
また、他の手段は、人を検知するセンサが空気中の二酸化炭素を検出するセンサであることを特徴とするものである。
【００２２】
また、他の手段は、照射ランプの一定期間内の点灯時間を記憶する点灯時間記憶手段を有し、前記点灯時間記憶手段に記憶した前記点灯時間が所定の時間を越えた場合、前記照射ランプを点灯しないように制御するものである。
【００２３】
また、他の手段は、点灯時間記憶手段に記憶した点灯時間が所定の時間に足りない場合、所定の時間まで照射ランプを点灯するように制御するものである。
【００２４】
また、他の手段は、点灯時間記憶手段に記憶した点灯時間と所定の時間との差を表示する点灯時間表示手段を有することを特徴とするものである。
【００２５】
また、他の手段は、空気の汚れ度合いを検出するセンサがガスセンサであることを特徴とするものである。
【００２６】
また、他の手段は、空気の汚れ度合いを検出するセンサと空気の湿度を検出する湿度センサを有し、前記湿度センサが検出した湿度が所定の湿度より低湿時に照射ランプを点灯するように制御するものである。
【００２７】
また、他の手段は、空気の汚れ度合いを検出するセンサが空気中の粉塵濃度を測定する粉塵センサとガスセンサであり、照射ランプをガスセンサの出力に応じて制御するものである。
【００２８】
また、他の手段は、強制的に照射ランプを点灯するランプ点灯手段を有することを特徴とするものである。
【００２９】
また、他の手段は、照射ランプが点灯していることを表示する点灯表示手段を有することを特徴とするものである。
【００３０】
また、他の手段は、照射ランプの累積点灯時間を記憶する累積点灯時間記憶手段を有し、前記累積点灯時間記憶手段に記憶した累積点灯時間が所定の時間を超えた場合、それを外部に表示する表示手段を有することを特徴とするものである。
【００３１】
また、他の手段は、照射ランプの照度を計測する照度計測手段を有し、前記照度計測手段によって計測した照射ランプの照度が所定の値より低下した場合、それを外部に表示する照度低下表示手段を有することを特徴とするものである。
【発明の効果】
【００３２】
本発明によれば、ガス吸着剤からなる脱臭手段と光触媒と照射ランプからなる脱臭手段を組み合わせ、センサの信号に応じて照射ランプの点灯を制御することにより、脱臭性能に優れ、長期にわたって安定した脱臭性能と省エネルギーな空気清浄機を提供できる。
【００３３】
また、光触媒に効率的に光を照射することにより、光触媒の劣化を抑制することができる空気清浄機を提供できる。
【発明を実施するための最良の形態】
【００３４】
本発明請求項１記載の発明は、空気の汚れ度合いを検出するセンサと、ガス吸着剤を備えた脱臭手段Ａと、光触媒と前記光触媒に照射する照射ランプを備えた脱臭手段Ｂと、前記センサにより検出された空気の汚れ度合いに応じて前記照射ランプを制御する制御手段とを備え、前記脱臭手段Ａと前記脱臭手段Ｂにより空気を清浄化する空気清浄機とするものであり、脱臭手段をガス吸着剤と光触媒の組み合わせとし、センサの出力に応じて照射ランプの点灯を制御することにより、脱臭性能の向上と照射ランプの点灯時間を短縮する作用を有する。すなわち、前記脱臭手段Ａと前記脱臭手段Ｂの組み合わせにより、脱臭手段Ａの吸着剤によって吸着脱臭し空気を浄化し、そのガス吸着剤によって吸着脱臭され低濃度化された空気の汚れを、脱臭手段Ｂの光触媒による酸化分解によって更に強力に分解、浄化するものである。難吸着臭気成分あるいは吸着平衡に達した後に流出してくる臭気成分などを、脱臭手段Ｂの光触媒で分解脱臭することができるなど、脱臭手段Ａと脱臭手段Ｂの相乗効果により、より効率的な脱臭および更に一段上の高脱臭が可能となる。
【００３５】
本発明請求項２記載の発明は、空気の汚れ度合いを検出するセンサと、ガス吸着剤と光触媒と前記光触媒に照射する照射ランプを備えた脱臭手段Ｃと、前記センサにより検出された空気の汚れ度合いに応じて前記照射ランプを制御する制御手段とを備え、前記脱臭手段Ｃにより空気を清浄化する空気清浄機とするものであり、ガス吸着剤と光触媒を組み合わせて１つの脱臭手段として構成したもので吸着剤と光触媒の相乗効果により、より効率的な脱臭および更に一段上の高脱臭が可能となる。
【００３６】
本発明請求項３記載の発明は、センサが検出した汚れ度合いが所定の汚れ度合いより低くなった時点から照射ランプを点灯し、空気が清浄になった時点で前記照射ランプを消灯するよう制御するものであり、におい発生の初期はガス吸着剤による脱臭を行い、においが低下してきた時点で、照射ランプを点灯し光触媒による脱臭を行うものであり、照射ランプの点灯時間短縮と脱臭性能の向上する作用を有する。
【００３７】
本発明請求項４記載の発明は、センサが検出した汚れ度合いが所定の汚れ度合いより低くなった時点から照射ランプを点灯し、空気が清浄になった時点から一定時間経過後すると前記照射ランプを消灯するよう制御するものであり、さらに十分な脱臭を行うとともに光触媒の劣化を抑制する作用を有する。
【００３８】
本発明の請求項５記載の発明は、センサが検出した汚れ度合いの変化量を検出する変化量検出手段を有し、前記変化量検出手段の検出する変化量が所定の変化量より低くなった時点から照射ランプを点灯し、空気が清浄になった時点で前記照射ランプを消灯するよう制御するものであり、空気の汚れを相対的に検知することにより、脱臭効果の向上と照射ランプの点灯時間を短縮する作用を有する。
【００３９】
本発明の請求項６記載の発明は、センサが空気の汚れ度合いを検出するセンサと人を検知するセンサを有し、前記人を検知するセンサが人を検知している時に照射ランプを点灯するよう制御するものであり、人がいることを検知して照射ランプを点灯するため、人照射ランプの点灯時間を制限し、人がいる時には充分な脱臭性能を得ることができる作用を有する。
【００４０】
本発明の請求項７記載の発明は、人を検知するセンサが焦電センサであることを特徴とするものであり、人体の体温を赤外線により検出して人を検知するものであり、確実に人体を検知する作用を有する。
【００４１】
本発明の請求項８記載の発明は、人を検知するセンサが空気中の二酸化炭素を検出するセンサであることを特徴とするものであり、人の呼吸によって発生する二酸化炭素によって人を検知できる作用を有する。
【００４２】
本発明の請求項９記載の発明は、照射ランプの一定期間内の点灯時間を記憶する点灯時間記憶手段を有し、前記点灯時間記憶手段に記憶した前記点灯時間が所定の時間を越えた場合、前記照射ランプを点灯しないように制御するものであり、照射ランプの点灯時間を制限する作用を有する。
【００４３】
本発明の請求項１０記載の発明は、点灯時間記憶手段に記憶した点灯時間が所定の時間に足りない場合、所定の時間まで照射ランプを点灯するように制御するものであり、光触媒に十分な時間光を照射し、光触媒の劣化を抑制する作用を有する。
【００４４】
本発明の請求項１１記載の発明は、点灯時間記憶手段に記憶した点灯時間と所定の時間との差を表示する点灯時間表示手段を有することを特徴とするものであり、照射ランプの点灯可能時間を使用者に知らせる作用を有する。
【００４５】
本発明の請求項１２記載の発明は、空気の汚れ度合いを検出するセンサがガスセンサであることを特徴とするものであり、空気中の汚染ガスの量を測定することにより、脱臭効果の向上することが出来る作用を有するものである。
【００４６】
本発明の請求項１３記載の発明は、空気の汚れ度合いを検出するセンサと空気の湿度を検出する湿度センサを有し、前記湿度センサが検出した湿度が所定の湿度より低湿時に照射ランプを点灯するように制御するものであり、光触媒の活性が低下する高湿時に照射ランプの点灯を行わないようにすることにより、脱臭効果の向上と、照射ランプの点灯時間短縮をする作用を有する。
【００４７】
本発明の請求項１４記載の発明は、空気の汚れ度合いを検出するセンサが空気中の粉塵濃度を測定する粉塵センサとガスセンサであり、照射ランプをガスセンサの出力に応じて制御するものであり、光触媒で分解できるガスが発生したときに照射ランプを点灯し、光触媒による脱臭を行うもので、より照射ランプの点灯時間を短縮できる作用を有する。
【００４８】
本発明の請求項１５記載の発明は、強制的に照射ランプを点灯するランプ点灯手段を有することを特徴とするものであり、照射ランプの点灯が制限されている状態であっても使用者が必要な時に照射ランプを点灯することができる作用を有する。
【００４９】
本発明の請求項１６記載の発明は、照射ランプが点灯していることを表示する点灯表示手段を有することを特徴とするものであり、使用者が照射ランプが点灯しているかどうかを知ることが出来る作用を有する。
【００５０】
本発明の請求項１７記載の発明は、照射ランプの累積点灯時間を記憶する累積点灯時間記憶手段を有し、前記累積点灯時間記憶手段に記憶した累積点灯時間が所定の時間を超えた場合、それを外部に表示する表示手段を有するものであり、使用者が照射ランプの交換時期を容易に知ることができる作用を有する。
【００５１】
本発明の請求項１８記載の発明は、照射ランプの照度を計測する照度計測手段を有し、前記照度計測手段によって計測した照射ランプの照度が所定の値より低下した場合、それを外部に表示する照度低下表示手段を有するものであり、使用者が照射ランプの交換時期を容易に知ることができる作用を有する。
【００５２】
以下、本発明の実施の形態について図面を参照しながら説明する。
【００５３】
（実施の形態１）
図１は、本発明の実施の形態１の空気清浄機の構成を示す模式図である。また、図２は、本発明の空気清浄機の動作を示すブロック図である。また、図３は、本発明の空気清浄機の汚れ度合いによる動作説明図である。
【００５４】
図１に示すように、空気清浄機本体１０は送風機７により吸気口８より空気を吸込み、排気口９より空気を排出する。
【００５５】
空気清浄機本体１０の内部には、吸気口８側から順に、塵埃等の粒子の汚れを除去する集塵フィルタ６、ガス吸着剤を備えた脱臭手段Ａ５としての空気中のガスを吸着する吸着脱臭フィルタ４、脱臭手段Ｂ３として光触媒からなる１組の光触媒フィルタ１および光触媒フィルタ１に光を照射する照射ランプ２が配置されている。
【００５６】
吸気口８から吸込まれた空気は、集塵フィルタ６で塵埃などの粒子成分を除去し、次に、吸着脱臭フィルタ４にて臭いや有害ガス成分が除去される。さらに、吸着脱臭フィルタ４で取りきれなかった臭いや有害ガス成分は、照射ランプ２が点灯している場合、光触媒フィルタ１で除去される。
【００５７】
ここで集塵フィルタ６は、空気中の塵埃等の粒子を除去できるものであれば良く、ガラス繊維などからなる不織布を用いたもの、さらに静電気により塵埃を除去するものなど当該既知の方法を用いることができる。
【００５８】
また、吸着脱臭フィルタ４は、活性炭、ゼオライト、アルミナ、シリカゲルなど空気中の臭い成分や有害ガス成分を吸着する材料で構成されたフィルタであれば当該既知のものを用いることができる。
【００５９】
また、光触媒フィルタ１は、酸化チタンに代表される光触媒材料からなるフィルタであれば何でも良く、ここでは、照射ランプ２を挟む形にしているが照射ランプ２の光が当ればその枚数、配置にはこだわらない。
【００６０】
照射ランプ２は、光触媒を励起する光を照射できればどのような手段を用いてもかまわない。例えば、紫外線ランプ、冷陰極管などを用いることができる。
【００６１】
次に、その動作を説明する。
【００６２】
図２に示すブロック図のように、ガスセンサ１１は、空気の汚れ度合いを運転制御手段１２と制御手段１４に出力する。運転制御手段１２はガスセンサ１１の出力である汚れ度合いに応じて送風機１３の運転を例えば、汚れ度合いが高い場合は強運転、低い場合は弱運転、空気がきれいな場合は停止というように制御する。
【００６３】
制御手段１４は、ガスセンサ１１の出力である汚れ度合いに応じて照射ランプ１５の点灯、消灯を制御する。脱臭手段Ｂ１７は、照射ランプ１５と光触媒１６で構成され、照射ランプ１５が点灯することにより、光触媒１６に光が照射される。
【００６４】
上記構成による動作について図３を用いて説明する。図３は、横軸に経過時間、縦軸にガスセンサ１１の出力である空気の汚れ度合いを示している。
【００６５】
時間Ａで臭いが発生するとガスセンサ１１の出力である空気の汚れ度合いは上昇する。運転制御手段１２は、汚れ度合いがレベル値１を超えると空気が汚れてきたと判断し、送風機１３を運転する。その結果、空気清浄機は、集塵フィルタ６と吸着脱臭フィルタ４の働きにより空気中の塵埃と臭い等のガス成分を浄化する。
【００６６】
送風機１３運転後、吸着脱臭フィルタ４の効果で空気の汚れ度合いは低下する。しかしながら、吸着脱臭フィルタ４に用いる活性炭やゼオライトなどの吸着剤は一般的に低濃度では脱臭スピードが低下し、ある濃度で平衡に達する。そこで、汚れ度合いが低い低濃度での脱臭性能を向上するため、汚れ度合いがレベル値２まで低下すると時間Ｃで制御手段１４は照射ランプ１５を点灯するように制御し、光触媒フィルタ１による酸化分解による除去を開始する。
【００６７】
次に光触媒の効果により、さらに、汚れ度合いが低下すると時間Ｄで制御手段１４はガスセンサ１１の出力が汚れ度合いレベル値３に到達したと判断し、照射ランプ１５を消灯する。さらに、運転制御手段１２は送風機１３を停止する。
【００６８】
この動作により、従来の空気清浄機では照射ランプ１５は、時間Ｃから時間Ｄまでの間のみ点灯することになり、点灯時間を大幅に短縮することができる。
【００６９】
さらに、吸着脱臭フィルタ４と光触媒フィルタ１を複合して用いるため照射ランプ１５の点灯時間を短縮しても良好な脱臭性能を得ることが可能となる。
【００７０】
（実施の形態２）
図４は、本発明の実施の形態２の空気清浄機の構成を示す模式図である。実施の形態１と同一部分は同一符号を附し詳細な説明は省略する。
【００７１】
図４に示すように、脱臭手段Ｃ１９は脱臭フィルタ１８と照射ランプ２で構成し、脱臭フィルタ１８は、光触媒と吸着剤を組み合わせて構成したものである。
【００７２】
ここで、脱臭フィルタ１８は、吸着剤と光触媒が混合もしくは層状に組み合わせて構成することができる。
【００７３】
上記構成において、脱臭手段Ｃ１９は、吸着剤と光触媒で構成されているため、１つのデバイスで吸着剤による吸着脱臭効果と光触媒による分解脱臭効果を得ることができる。
【００７４】
（実施の形態３）
図５は、本発明の実施の形態３の空気清浄機の動作を示すブロック図である。また、図６は、本発明の空気清浄機の汚れ度合いによる動作説明図である。実施の形態１と同一部分は同一符号を附し詳細な説明は省略する。
【００７５】
図４に示すように、タイマー２０は制御手段１４に計時している時間を出力している。
【００７６】
上記構成における動作を図６を用いて説明する。
【００７７】
図５において、時間Ａで臭いが発生するとガスセンサ１１の出力である汚れ度は上昇し、時間Ｂで汚れ度合いがレベル値１に達する。運転制御手段１２は、汚れ度合いがレベル値１に達したことを判定し送風機１３を運転する。
【００７８】
その後、臭いが除去されガスセンサ１１の出力である汚れ度が低下し、時間Ｃにおいてレベル値２に達したことを制御手段１４が判定し、照射ランプ１５を点灯して、光触媒１６に光を照射する。
【００７９】
光触媒の脱臭効果により、さらに汚れ度が低下しレベル３に達すると制御手段１４はタイマー２０に信号を出力しタイマー２０はその信号を受け計時を開始する。
【００８０】
タイマー２０は、計時開始から所定の時間ｔ経過した時点（時間Ｅ）で制御手段１４に信号を出力する。制御手段１４は、タイマー２０からの信号を受け照射ランプ１５を消灯する。同時に、運転制御手段１２は送風機１３の運転を停止する。
【００８１】
ここで、所定の時間ｔは、１時間以内の時間が望ましく、あらかじめ設定しておくことができる。
【００８２】
また、時間Ｂから時間Ｄの長さなど空気清浄機の運転状況に応じて設定しても良い。
【００８３】
また、ガスセンサ１１の汚れ度出力に応じて決定することもできる。
【００８４】
以上のように、空気がきれいになった後も、照射ランプ１５の点灯を継続するように制御することにより、光触媒の再生ができ、充分な脱臭を行うと共に、省エネと照射ランプの長寿命化が可能となる。
【００８５】
（実施の形態４）
図７は、本発明の実施の形態４の空気清浄機の動作を示すブロック図である。また、図８は、本発明の空気清浄機の汚れ度合いと変化量による動作説明図である。実施の形態１乃至３と同一部分は同一符号を附し詳細な説明は省略する。
【００８６】
図７において、変化量演算手段２１はガスセンサ１１の出力である汚れ度合いを入力しその変化量を演算して制御手段１４に出力する。制御手段１４は、ガスセンサ１１の出力である汚れ度合いと変化量演算手段２１の出力である変化量をもとに照射ランプ１５の点灯、消灯を制御する。変化量演算手段２１としては、上記内容がプログラムされたマイコンなどがある。
【００８７】
上記構成においてその動作を図８を用いて説明する。
【００８８】
図８において、グラフ（ａ）は、横軸時間、縦軸汚れ度合いを示している。また、グラフ（ｂ）は、横軸は時間、縦軸は汚れ度合いの変化量を示している。
【００８９】
ここで、変化量は変化量演算手段２１にガスセンサ１１の出力である汚れ度合いを入力し、予め設定した単位時間での汚れ度合いの変化量を計算する。変化量の計算は、当該既知の方法を用いることができるが、汚れ度合いの細かな変動の要因を除去するために移動平均などを用いることが望ましい。また、変化量を求める単位時間としては、空気清浄機の運転時間、空気の汚れ度合いの変化速度などを考慮して決定すればよく、一般的には、１〜１０分程度が望ましい。
【００９０】
時間Ａで臭いが発生し、時間Ｂで汚れ度がレベル値１に達したことを判断して運転制御手段１２は送風機１３を運転する。次に、制御手段１４は、汚れ度と変化量を監視し、時間Ｃで汚れ度がレベル値２以下に低下し、且つ、変化量が判定値である変化量１以上になると照射ランプ１５を点灯する。
【００９１】
ここで、変化量の判定値である変化量１は、汚れ度合いの傾きが緩やかになり空気清浄機を運転しても空気の汚れが取れにくくなってきたことを判定する値を設定することが望ましい。
【００９２】
以上のように、汚れ度合いの変化量が小さくなり、傾きが緩やかになった時点で照射ランプ１５を点灯し光触媒１６に光を照射することにより、光触媒１６による酸化分解が開始しするため、吸着脱臭手段で除去が難しい低濃度の空気の汚れを除去することができ、同時に照射ランプの長寿命化、省エネが可能となる。
【００９３】
（実施の形態５）
図９は、本発明の実施の形態５の空気清浄機の動作を示すブロック図である。実施の形態１乃至４と同一部分は同一符号を附し詳細な説明は省略する。
【００９４】
図９において、人検知センサ２２は人の存在を検知すると制御手段１４に信号を出力する。制御手段１４は、ガスセンサ１１の出力である汚れ度合いと変化量演算手段２１の出力である変化量と人検知センサ２２の出力をもとに照射ランプ１５の点灯、消灯を制御する。
【００９５】
上記構成においてその動作は、人検知センサ２２が人を検知していない場合は、制御手段１４は、照射ランプ１５を点灯しない、人検知センサ２２が人を検知している場合はガスセンサ１１の出力である汚れ度合いと変化量演算手段２１の出力である変化量をもとに照射ランプ１５の点灯、消灯を制御する。
【００９６】
ここで、人検知センサ２２は、当該既知の手段を用いることができるが、人体が発生する赤外線を検知する焦電センサを用いると容易に人を検知することが可能となる。
【００９７】
また、人検知センサとして、人の呼吸により発生する二酸化炭素を検知する二酸化炭素センサを用いることもできる。二酸化炭素により人を検知することにより、人数の増減を知ることも可能となり、人数によって空気清浄機の運転状態を制御することも可能となる。
【００９８】
以上のように、人検知センサ２２により、人の有無を検知することにより、人がいないときは照射ランプ１５を消灯することができ、照射ランプ１５の長寿命化、省エネが達成できると共に、人が存在する場合は照射ランプ１５を点灯するため充分な脱臭性能を得ることができる。
【００９９】
（実施の形態６）
図１０は、本発明の実施の形態６の空気清浄機の動作を示すブロック図である。実施の形態１乃至５と同一部分は同一符号を附し詳細な説明は省略する。
【０１００】
図１０において、点灯時間積算手段２３は制御手段１４が出力する照射ランプ１５の制御信号および運転制御手段１２の出力である送風機１３の制御信号を受け、照射ランプ１５の点灯時間および送風機１３の運転時間を積算する。
【０１０１】
点灯時間表示手段２４は、点灯時間積算手段２３信号を受け制御手段１４で演算した結果を外部に表示する。
【０１０２】
点灯時間積算手段２３としては、上記内容がプログラムされたマイコンなどがある。点灯時間表示手段２４は、ＬＥＤ、液晶など当該既知の表示手段を用いることができる。
【０１０３】
制御手段１４は、点灯時間積算手段２３で積算した照射ランプ１５の点灯時間と送風機１３の運転時間、およびガスセンサ１１の出力である汚れ度合いから照射ランプ１５を点灯するかどうかを判断する。
【０１０４】
上記構成において、制御手段１４は点灯時間積算手段２３の出力である送風機１３の運転時間と照射ランプ１５の点灯時間を比較し、予め設定した前記運転時間と前記点灯時間の割合と比較して、点灯時間の割合が多ければ、予め設定した割合になるまで照射ランプ１５を点灯しない。また、点灯時間の割合が少なければ、予め設定した割合になるまで照射ランプ１５を点灯するように制御する。同時に、制御手段１４は前記点灯時間の割合を点灯時間表示手段２４に出力する。
【０１０５】
ここで、運転時間と点灯時間の割合は、時間の比や、１日や１週間などの一定期間内での割合を使用することができる。
【０１０６】
また、予め設定した割合は、照射ランプの寿命と空気清浄機の商品寿命から設定することができる。例えば、商品寿命を７年間、すなわち１日８時間運転するとすると約１８０００時間、照射ランプの寿命を８０００時間とする。
【０１０７】
以上のように、送風機１３の運転時間の積算値と照射ランプ１５の点灯時間積算値から照射ランプ１５の点灯を制御することにより、照射ランプ１５の長寿命化が可能となると共に、光触媒１６に必要な光を照射することができるため良好な脱臭性能を長期にわたって維持することが可能となる。
【０１０８】
また、点灯時間表示手段２４により、照射ランプ１５の点灯可能時間を知ることができる。
【０１０９】
（実施の形態７）
図１１は、本発明の実施の形態７の空気清浄機の動作を示すブロック図である。実施の形態１乃至６と同一部分は同一符号を附し詳細な説明は省略する。
【０１１０】
図１１において、湿度センサ２５は空気の湿度を測定し制御手段１４に出力する。制御手段１４は、ガスセンサ１１および変化量積算手段２１およびタイマー２０および点灯時間積算手段２３および湿度センサ２５の出力を受けて照射ランプ１５の点灯・消灯を判断し出力する。
【０１１１】
上記構成において、一般的に光触媒１６は高湿度の環境では活性が低下し、光を照射したとしても充分な性能が得られない。
【０１１２】
そこで、湿度センサ２５において空気中の湿度を測定し、湿度が光触媒１６の活性が得られる範囲の場合、照射ランプ１５を点灯し、高湿度で光触媒の活性が得られない場合点灯しないように制御手段１４で判断し、照射ランプ１５を制御する。
【０１１３】
ここで、照射ランプ１５の点灯・消灯を判断する湿度としては、光触媒１６の湿度に対する性能によって決定することができる。例えば、相対湿度７０〜８０％以上では照射ランプ１５点灯しない。
【０１１４】
以上のように、空気の湿度を湿度センサ２５によって測定し、光触媒１６が充分な活性が得られる湿度の時に照射ランプ１５を点灯することにより、効果が得られるときのみ照射ランプ１５を点灯するため、照射ランプ１５の長寿命化が可能となる。
【０１１５】
（実施の形態８）
図１２は、本発明の実施の形態８の空気清浄機の動作を示すブロック図である。実施の形態１乃至７と同一部分は同一符号を附し詳細な説明は省略する。
【０１１６】
図１２において、粉塵センサ２６は、空気中の粉塵濃度を測定し、運転制御手段１２に出力する。運転制御手段１２は、ガスセンサ１１の出力と粉塵センサ２６の出力を入力し、送風機１３の運転を制御する。
【０１１７】
上記構成において、運転制御手段１２は、ガスセンサ１１の出力である汚れ度合いと粉塵センサ２６の出力である粉塵濃度を監視して、空気の汚れ度合いおよび粉塵濃度が増して空気が汚れてきたことを判断して送風機１３を運転する。
【０１１８】
以上のように、粉塵濃度によって送風機１３の運転を制御することが可能となるため、光触媒１６による分解が必要ない粉塵による空気の汚れに対応すると共に、粉塵による汚れの場合は照射ランプ１５を点灯しないため、照射ランプ１５の長寿命化と空気の汚れの浄化性能の向上が可能となる。
【０１１９】
（実施の形態９）
図１３は、本発明の実施の形態９の空気清浄機の動作を示すブロック図である。実施の形態１乃至８と同一部分は同一符号を附し詳細な説明は省略する。
【０１２０】
図１３において、ランプ点灯手段２７は強制的な照射ランプ１５の点灯を行う信号を制御手段１４に出力する。制御手段１４は、ランプ点灯手段２７の信号を受け、照射ランプ１５を点灯する。
【０１２１】
累積点灯時間積算手段２９は、点灯時間積算手段２３で演算した照射ランプ１５の累積点灯時間を演算する。制御手段１４は、累積点灯時間演算手段２９の信号を受け、予め設定していた時間を越えると表示手段２８に信号を出力する。前記予め設定していた時間は、照射ランプ１５の寿命となる時間を設定する。例えば、照射ランプ１５が冷陰極管の場合、８０００時間から１００００時間が一般的である。
【０１２２】
表示手段２８は、制御手段１４より信号を受け、照射ランプ１５の点灯状態と、照射ランプの累積点灯時間が予め設定した時間を越えたことを表示する。
【０１２３】
ここで、ランプ点灯手段２７は、スイッチなどの手段を用いることができる。また、表示手段２８は、ＬＥＤや液晶など当該既知の手段を用いることができる。
【０１２４】
以上のように、ランプ点灯手段２７で強制的に照射ランプ１５を点灯することにより、使用者が必要なときに照射ランプを点灯することができる。
【０１２５】
また、累積点灯時間積算手段２９により、照射ランプ１５の累積点灯時間を演算し、予め設定した時間を越えると表示手段２８に表示することにより、照射ランプ１５の交換時期を知ることができる。
【０１２６】
（実施の形態１０）
図１４は、本発明の実施の形態１０の空気清浄機の動作を示すブロック図である。実施の形態１乃至９と同一部分は同一符号を附し詳細な説明は省略する。
【０１２７】
図１４において、照度計測手段３０は、照射ランプ１５の照度を計測する。照度計測手段３０で計測した照度は、制御手段１４に出力する。制御手段１４は、入力した照度と予め設定した照度を比較し、前記予め設定した照度より低下すると照度低下表示手段３１に出力する。照度低下表示手段３１は制御手段１４からの信号を受け、表示する。
【０１２８】
ここで、照度計測手段３０は照射ランプ１５の照度を計測する手段であれば、照度センサなどの当該既知の手段を用いることができる。また、照射ランプ１５の照度を計測できる場所であればどこに設置しても良い。
【０１２９】
また、照度低下表示手段３１は、ＬＥＤや液晶などの当該既知の表示手段を用いることができる。
【０１３０】
以上のように、照射ランプ１５の照度を照度計測手段３０により計測することにより、照射ランプ１５の劣化度合いを知ることができる。
【０１３１】
さらに、照度が低下したことを表示することにより、適切な照射ランプ１５の交換時期を知ることができる。
【産業上の利用可能性】
【０１３２】
家庭用、店舗や病院などの業務用の空気清浄機、脱臭機など空気中の臭い、ＶＯＣの除去などの用途にも適用できる。
【図面の簡単な説明】
【０１３３】
【図１】本発明の実施の形態１の空気清浄機の構成を示すブロック図
【図２】本発明の実施の形態１の空気清浄機の動作を示すブロック図
【図３】本発明の実施の形態１の空気清浄機の動作説明図
【図４】本発明の実施の形態２の空気清浄機の動作を示すブロック図
【図５】本発明の実施の形態２の空気清浄機の動作説明図
【図６】本発明の実施の形態３の空気清浄機の動作を示すブロック図
【図７】本発明の実施の形態４の空気清浄機の動作を示すブロック図
【図８】本発明の実施の形態４の空気清浄機の動作説明図（（ａ）同汚れ度を示す図、（ｂ）同変化量を示す図）
【図９】本発明の実施の形態５の空気清浄機の動作を示すブロック図
【図１０】本発明の実施の形態６の空気清浄機の動作を示すブロック図
【図１１】本発明の実施の形態７の空気清浄機の動作を示すブロック図
【図１２】本発明の実施の形態８の空気清浄機の動作を示すブロック図
【図１３】本発明の実施の形態９の空気清浄機の動作を示すブロック図
【図１４】本発明の実施の形態１０の空気清浄機の動作を示すブロック図
【図１５】従来の空気清浄機の構成を示すブロック図
【図１６】従来の空気清浄機の動作を示すブロック図
【符号の説明】
【０１３４】
１    光触媒フィルタ
２    照射ランプ
３    脱臭手段Ｂ
４    吸着脱臭フィルタ
５    脱臭手段Ａ
１１  ガスセンサ
１２  運転制御手段
１４  制御手段
１５  照射ランプ
１６  光触媒
１７  脱臭手段Ｂ
１８  脱臭フィルタ
１９  脱臭手段Ｃ
２０  タイマー
２１  変化量演算手段
２２  人検知センサ
【図１】
2008259809.tif 000003
【図２】
2008259809.tif 000004
【図３】
2008259809.tif 000005
【図４】
2008259809.tif 000006
【図５】
2008259809.tif 000007
【図６】
2008259809.tif 000008
【図７】
2008259809.tif 000009
【図８】
2008259809.tif 000010
【図９】
2008259809.tif 000011
【図１０】
2008259809.tif 000012
【図１１】
2008259809.tif 000013
【図１２】
2008259809.tif 000014
【図１３】
2008259809.tif 000015
【図１４】
2008259809.tif 000016
【図１５】
2008259809.tif 000017
【図１６】
2008259809.tif 000018